(57)【要約】  【課題】軸体の側方からブラシの取付け、取外しが容易にできると共に、隣接したブラシを簡単かつ容易に交換できる洗車機用洗浄ブラシ、及び前記洗車機用洗浄ブラシを搭載した洗車機を提供する。【解決手段】自動車洗浄用あるいは車両洗浄用の洗車機用洗浄ブラシにおいて、前記洗車機用洗浄ブラシは、軸体、及び複数の連結体を有し、前記連結体は、台座、及びブラシ片を有すると共に、前記ブラシ片は、前記台座の外周部に形成されてあり、前記台座は、前記軸体の側方から着脱可能に固定されてあるものである。【選択図】      図１
2008029706.tif 000002
【特許請求の範囲】
【請求項１】
自動車洗浄用あるいは車両洗浄用の洗車機用洗浄ブラシにおいて、前記洗車機用洗浄ブラシは、軸体、及び複数の連結体を有し、前記連結体は、台座、及びブラシ片を有すると共に、前記ブラシ片は、前記台座の外周部に形成されてあり、前記台座は、前記軸体の側方から着脱可能に固定されてあることを特徴とする洗車機用洗浄ブラシ。
【請求項２】
請求項１記載の構成よりなる洗車機用洗浄ブラシにおいて、互いの台座が着脱可能に連結されてあることを特徴とする洗車機用洗浄ブラシ。
【請求項３】
請求項１から２記載の構成よりなる洗車機用洗浄ブラシにおいて、台座が軸体の外周部に円周等分に着脱可能に固定されてあることを特徴とする洗車機用洗浄ブラシ。
【請求項４】
駆動源と、被洗浄面に散布する洗浄剤及び水を噴出させるノズルと、洗浄後の被洗浄面を乾燥させる乾燥手段を備えると共に、請求項１から３のいずれか１項に記載の洗車機用洗浄ブラシを搭載したことを特徴とする洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗車機用洗浄ブラシ、及びその洗車機用洗浄ブラシを搭載した洗車機に関しては、使用目的に応じて、さまざまな改良がなされ、例えば、特に自動車の自動洗浄および／又は磨き上げシステム用に設計された、剛毛、フェルト又はこれらに類似するものを支持するための支持エレメントを含む改良ブラシであって、前記ブラシは、円筒形状のブラシ本体を画定する第１の複数の長い剛毛、フェルト又はこれらに類似するものと、前記長い剛毛またはフェルトの場合よりも短い長さを有する少なくとも第２の複数の剛毛、フェルト又はこれらに類似するものとを備えることを特徴とする改良ブラシが、特表２００３−５１２１１４号公報に開示されてある。
【０００３】
また、特に自動洗車設備において使用する回転ブラシの製造方法であって、2つの同軸心状円筒部材の中間部に合成樹脂が形成されてあり、可撓性洗浄要素が外方向に突出している円筒形状の洗浄ブラシが特開平９−２８５３３９号公報に開示されてある。
【０００４】
【特許文献１】特表２００３−５１２１１４号
【特許文献１】特開平９−２８５３３９号
【発明の開示】
【発明が解決しようとする課題】
【０００５】
従来の洗車機用洗浄ブラシ、及びその洗車機用洗浄ブラシを搭載した洗車機は、例えば、上記の如くの特徴を有する技術が開示されてあるが、特表２００３−５１２１１４号に開示されてある技術において、ブラシは、シート状に形成されてある台座にブラシ片が植毛されてあり、軸体の外周面に台座を巻付けて固定される。その為、取付け時には軸体の裏側に回し込んだ後、巻きつけて止める構造であり、極めて作業性が困難あるという課題を有していた。
【０００６】
また、特開平９−２８５３３９号に開示されてある技術においては、ブラシは円筒状の台座にブラシ片が植毛されてあり、軸体端面より台座をはめ込み積層されて軸体に固定される。その為、台座挿入時には、軸体を洗車機より取外すことが必要な為、極めて作業性が困難という課題を有していた。また、円筒状の台座は軸体端面より積層されてある為、中央部の台座のみを交換する場合においても、中央部の台座に隣接して積層された台座を取外さないと交換できないという課題を有していた。
【０００７】
本発明は、上記のような課題を解決する為になされたもので、軸体の側方からブラシの取付け、取外しが容易にできると共に、隣接したブラシを簡単かつ容易に交換できる洗車機用洗浄ブラシ、及び前記洗車機用洗浄ブラシを搭載した洗車機を提供することを目的としている。
【課題を解決するための手段】
【０００８】
請求項1の洗車機用洗浄ブラシは、前記台座が、前記軸体の側方から着脱可能に固定されてある。したがって、軸体に対して、ブラシの取付け、取外しにおいて、安全、迅速かつ容易にできる。
【０００９】
請求項２の洗車機用洗浄ブラシは、互いの台座が着脱可能に連結されてある。したがって、互いの連結体を嵌合させる事により、位置ズレ、外れ等を防止できる。
【００１０】
請求項３の洗車機用洗浄ブラシは、台座が軸体の外周部に円周等分に着脱可能に固定されてある。したがって、回転バランスを均等にできる。
【００１１】
請求項４の洗車機は、駆動源と、被洗浄面に散布する洗浄剤及び水を噴出させるノズルと、洗浄後の被洗浄面を乾燥させる乾燥手段を備えると共に、請求項１から３のいずれか１項に記載の洗車機用洗浄ブラシを搭載したものである。したがって、洗車機用洗浄ブラシの取付け、取外しにおいて、軸体を洗車機から取外すことなく洗車機用洗浄ブラシの取付け、取外しが迅速かつ容易に可能にできる。
【００１２】
また、本発明の洗車機は、駆動源と、被洗浄面に散布する洗浄剤及び水を噴出させるノズルと、洗浄後の被洗浄面を乾燥させる乾燥手段を備えると共に、請求項１から３記載の洗車機用洗浄ブラシを搭載したもので、  前記軸体、及び複数の前記連結体を有する洗車機用洗浄ブラシが搭載されてある。その為、洗車機用洗浄ブラシの取付け、取外しにおいて、軸体を洗車機から取外すことなくブラシの取付け、取外しが迅速かつ容易に可能にできる。
【発明の効果】
【００１３】
請求項１の洗車機用洗浄ブラシは、軸体、及び複数の連結体を有し、前記連結体は、台座、及びブラシ片を有すると共に、前記ブラシ片は、前記台座の外周部に形成されてあり、前記台座は、前記軸体の側方から着脱可能に固定されてある。その為、軸体に対して、ブラシの取付け、取外しにおいて、安全、迅速かつ容易にできる。
【００１４】
請求項２の洗車機用洗浄ブラシは、互いの台座が着脱可能に連結されてあることを特徴とする洗車機用洗浄ブラシの為、互いの連結体を、例えば凹凸部を介して嵌合させる事により、位置ズレ、外れ等を防止できる。
【００１５】
請求項３の洗車機用洗浄ブラシは、台座が軸体の外周部に円周等分に着脱可能に固定されてある。その為、回転バランスが均等に保持できる為、ブラシを高速回転で使用することができる。
【００１６】
請求項４の洗車機は、駆動源と、被洗浄面に散布する洗浄剤及び水を噴出させるノズルと、洗浄後の被洗浄面を乾燥させる乾燥手段を備えると共に、請求項１から３のいずれか１項に記載の洗車機用洗浄ブラシが搭載されてある。その為、洗車機用洗浄ブラシの取付け、取外しにおいて、軸体を洗車機から取外すことなくブラシの取付け、取外しが迅速かつ容易に可能にできる。
【発明を実施するための最良の形態】
【００１７】
第１の発明は、自動車洗浄用あるいは車両洗浄用の洗車機用洗浄ブラシにおいて、前記洗車機用洗浄ブラシは、軸体、及び複数の連結体を有し、前記連結体は、台座、及びブラシ片を有すると共に、前記ブラシ片は、前記台座の外周部に形成されてあり、前記台座は、前記軸体の側方から着脱可能に固定されてある為、軸体に対して、ブラシの取付け、取外しにおいて、安全、迅速かつ容易にできる。その為、ブラシの取付け、取外しの作業時間が短縮できると共に、作業の簡素化ができる。
【００１８】
第２の発明は、第１の発明の洗車機用洗浄ブラシにおいて、互いの台座が着脱可能に連結されてあることを特徴とする洗車機用洗浄ブラシの為、互いの連結体を、例えば凹凸部を介して嵌合させる事により、位置ズレ、外れ等を防止できる為、高速回転で使用した場合においても、極めて高い安全兼ね備えて使用することができる。
【００１９】
第３の発明は、第１から第２の発明の洗車機用洗浄ブラシにおいて、台座が軸体の外周部に円周等分に着脱可能に固定されてある。その為、回転バランスを均等にできる為、ブラシを高速回転で使用することができる。その為、極めて高い洗浄性と安全性を兼ね備えた非常に優れた洗車機用洗浄ブラシを使用することができる。
【００２０】
第４の発明は、駆動源と、被洗浄面に散布する洗浄剤及び水を噴出させるノズルと、洗浄後の被洗浄面を乾燥させる乾燥手段を備えると共に、第１から第３の発明のいずれかに記載の洗車機用洗浄ブラシを搭載した洗車機である為、洗車機は、洗車機用洗浄ブラシの取付け、取外しにおいて、軸体を洗車機から取外すことなく洗車機用洗浄ブラシの取付け、取外しが迅速かつ容易に可能にできる。その為、洗車機用洗浄ブラシ交換が極めて容易に短時間に作業できる。
【００２１】
以下、本発明の実施の形態について図面を参照しながら説明する。なお、この実施の形態により本発明が限定されるものではない。
【００２２】
（実施例１）
図１にて実施例１を示す。図１（Ａ）は、本発明の第１の実施例における洗車機用洗浄ブラシの正面図、（Ｂ）は、図１（Ａ）のＸ−Ｘ断面図である。  
【００２３】
図１（Ａ）及び（Ｂ）の如く、洗車機用洗浄ブラシ１は、軸体２、及び複数の連結体３を有し、連結体３は、台座４、及びブラシ片５を有すると共に、ブラシ片５は、台座４の外周部に形成されてあり、合成樹脂発泡体が使用されてある。また、台座４は、軸体２の側方から軸体２にたいして、ボルト８にて固定されてある。また、台座４は合成樹脂からなる一体成形にて形成されてある。
【００２４】
また、台座４は、概半円筒形状に形成されてあり、外周部に両側に凸部１０を有する溝部９が形成されてあり、ブラシ片５は、溝部９に、ブラシ片５の略中央部を折り込んでリベット７にて固定されてある。
【００２５】
また、台座４の材料としては上記の如く、合成樹脂以外にも、使用する目的に応じて、適時、塩化ビニル、アルミ、鉄、ステンレス、合成ゴム等を使用する形態も採用できる。
【００２６】
また、ブラシ片５の材料としては前記の如く、合成樹脂発泡体以外にも使用する目的に応じて、適時、布帛、人工皮革、合成皮革、合成樹脂、フイルム状樹脂組成物等を使用する形態も採用できる。また、形状、配置状態、個数等についても、使用目的に応じて、適時、設定しても何ら支障は無い。
【００２７】
また、ブラシ片５の台座４への固定方法は、前記の如く、リベット固定以外にも、差込み、はめ込み、接着、ネジ等固定可能であるならばいかなる方法も採用できる。
【００２８】
実施例１の洗車機用洗浄ブラシ１は上記の構成となっているので、連結体３を軸体２の側方から取付け、取外しができる。その為、軸体２を洗車機本体から着脱する事無く、安全、迅速、容易かつ短時間の作業にてメンテナンスができる。
【００２９】
（実施例２）
図２（Ａ）にて実施例２を示す。図２（Ａ）は、本発明の第２の実施例における洗車機用洗浄ブラシの側面図である。
【００３０】
図２（Ａ）の如く、洗車機用洗浄ブラシ１１は、軸体２の側方から複数の台座１４が互いに着脱可能に連結されてある。また、台座１４は凸５５、凹５６が形成されてあり、互いの台座１４は、凸５５、凹５６が嵌め合されて連結されてある。
【００３１】
また、上記の嵌め合い形態については、互いの凸部５５、及び凹部５６が嵌め合わされる形態以外にも、側方から連結可能な形態であるならばいかなる嵌め合いの形態であっても採用できる。
【００３２】
実施例２の洗車機用洗浄ブラシ１１は、上記の構成となっているので、複数の連結体１３は、軸体２にたいして、ズレ、外れ等が発生することが無い。その為、洗車機用洗浄ブラシ１１を、高速回転で使用した場合においても、台座１４の位置ズレが無く、回転バランスを高く保持できると共に、すぐれた耐久性を発揮できる。
【００３３】
（実施例３）
図２（Ｂ）にて実施例３を示す。図２（Ｂ）は、本発明の第３の実施例における洗車機用洗浄ブラシの側面図である。
【００３４】
図２（Ｂ）の如く、洗車機用洗浄ブラシ２１は、台座２４が、軸体２の外周部に１２０°方向３箇所に円周等分に固定されてある。
【００３５】
また、台座２４の固定個所としては、前記の如く、軸体２の外周部１２０°方向３箇所以外にも、回転バランスを均等に保てるのであれば、例えば、９０°方向４箇所、１８０°方向２箇所等、適時、設定できる。
【００３６】
実施例３の洗車機用洗浄ブラシ２１は、上記の構成となっているので、洗浄ブラシ２１は、台座２４の回転バランスを均等に保持できる。その為、洗車機用洗浄ブラシ２１を高速回転で使用することができる。また、軸体２の外周部全面に台座２４を構成する必要が無いので、軽量化ができる。その為、極めて高い洗浄性と安全性を兼ね備えた非常に優れた洗車機用洗浄ブラシ２１を使用することができる。
【００３７】
（実施例４）
図３にて実施例４を示す。図３（Ａ）は、本発明の第４の実施例における洗車機用洗浄ブラシに使用するチャンネルブラシの斜視図、（Ｂ）は、（Ａ）のチャンネルブラシを使用した洗車機用洗浄ブラシの側面図である。
【００３８】
図３（Ａ）及び（Ｂ）の如く、洗車機用洗浄ブラシ３１は、軸体２の側方から台座３４がボルト（図示せず）にて固定されてあり、台座３４の溝部９には図３（Ａ）のチャンネルブラシ５０が挿入されて嵌合されてある。また、チャンネルブラシ５０は、概コの字形状の帯状体３７、及び芯線３６にてはさみつけて形成されてある。
【００３９】
また、チャンネルブラシ５０の固定方法としては、前記の方法以外にも、カシメ、接着、溶接等固定可能であるならばいかなる形態も採用できる。
【００４０】
実施例４の、洗車機用洗浄ブラシ３１は、上記の構成となっているので、ブラシ片３５の材質として、多数本のフィラメント状の線材を使用した場合においても、チャンネルブラシ５０は、概コの字形状の帯状体３７、及び芯線３６にてブラシ片３５をはさみつける事ができる為、洗浄時に車体の隙間、凹凸等の洗い残しが無いと共に、高い洗浄性を発揮できる。
【００４１】
（実施例５）
図４にて実施例５を示す。図４は、本発明の洗車機用洗浄ブラシを搭載した洗車機である。
【００４２】
図４の如く、洗車機９１は、本発明の実施例に記載の構成の洗車機用洗浄ブラシ１が搭載されてあり、洗車機用洗浄ブラシ１は駆動減９２により回転される。ノズル９３からは、被洗浄面にたいして、洗浄剤、及び水が散布され、洗車機用洗浄ブラシ１により洗浄され、洗浄後は、乾燥機９４等の乾燥手段により被洗浄面が乾燥される。
【００４３】
実施例５の洗車機９１は、上記の如くの構成となっているので、洗車機用洗浄ブラシ１の取付け、取外しにおいて、軸体を洗車機９１から取外すことなくブラシの取付け、取外しが迅速かつ容易に可能にできる。
【産業上の利用可能性】
【００４４】
本発明の洗車機用洗浄ブラシ及び洗車機は、主に、自動車あるいは車両の外面の被洗浄面に付着した汚れ等を洗浄する為の洗車機、及び洗車機に搭載されてある洗車機用洗浄ブラシ、及び洗車機用洗浄ブラシとして使用する。
【図面の簡単な説明】
【００４５】
【図１】（Ａ）本発明の洗車機用洗浄ブラシの正面図、（Ｂ）図１（Ａ）のＸ−Ｘ断面図
【図２】（Ａ）本発明の第２の実施例における洗車機用洗浄ブラシの側面図、（Ｂ）本発明の第３の実施例における洗車機用洗浄ブラシの側面図
【図３】（Ａ）本発明の第４の実施例における洗車機用洗浄ブラシに使用するチャンネルブラシの斜視図、（Ｂ）（Ａ）のチャンネルブラシを使用した洗車機用洗浄ブラシの側面図
【図４】本発明の洗車機用洗浄ブラシを搭載した洗車機の正面図
【符号の説明】
【００４６】
１、１１、２１、３１  洗車機用洗浄ブラシ
２  軸体
３、１３、２３  連結体
４、１４、２４、３４  台座
５、２５、３５  ブラシ片
７  リベット
８  ボルト
９  溝
１０、５５  凸部
３６  芯線
３７  帯状体
５０  チャンネルブラシ
５６  凹部
９１  洗車機
９２  駆動源
９３  ノズル
９４  乾燥機
【図１】
2008029706.tif 000003
【図２】
2008029706.tif 000004
【図３】
2008029706.tif 000005
【図４】
2008029706.tif 000006